【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別することと、
ライセンススペクトラムにおいてプライマリコンポーネントキャリア（ＰＣＣ）アップリンクを介してユーザ機器（ＵＥ）から、前記少なくとも１つの送信時間間隔と前記少なくとも１つの他の送信時間間隔との両方に関連するフィードバック情報を受信することと、を備え、ここにおいて、フィードバック情報を受信することは、前記アンライセンススペクトラムにおいてダウンリンクのための送信がオフにゲーティングされる前記少なくとも１つの送信時間間隔に対して、長期チャネル状態情報（ＣＳＩ）を受信することを備える、方法。
【請求項２】
フィードバック情報を受信することは、ハイブリッド自動再送要求（ＨＡＲＱ）フィードバック情報を受信することをさらに備える、請求項１に記載の方法。
【請求項３】
フィードバック情報を受信することは、前記アンライセンススペクトラムにおいてダウンリンクのための送信がオンにゲーティングされる前記少なくとも１つの他の送信時間間隔に対して、短期ＣＳＩを受信することをさらに備える、請求項１に記載の方法。
【請求項４】
ワイヤレス通信のための装置であって、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別するための手段と、
ライセンススペクトラムにおいてプライマリコンポーネントキャリア（ＰＣＣ）アップリンクを介してユーザ機器（ＵＥ）から、前記少なくとも１つの送信時間間隔と前記少なくとも１つの他の送信時間間隔とに関連するフィードバック情報を受信するための手段と、を備え、ここにおいて、フィードバック情報を受信するための前記手段は、前記アンライセンススペクトラムにおいてダウンリンクのための送信がオフにゲーティングされる前記少なくとも１つの送信時間間隔に対して、長期チャネル状態情報（ＣＳＩ）を受信するための手段を備える、装置。
【請求項５】
フィードバック情報を受信するための前記手段は、ハイブリッド自動再送要求（ＨＡＲＱ）フィードバック情報を受信するための手段をさらに備える、請求項４に記載の装置。
【請求項６】
フィードバック情報を受信するための前記手段は、前記アンライセンススペクトラムにおいてダウンリンクのための送信がオンにゲーティングされる前記少なくとも１つの他の送信時間間隔に対して、短期ＣＳＩを受信するための手段をさらに備える、請求項４に記載の装置。
【請求項７】
ワイヤレス通信のための装置であって、
プロセッサと、
前記プロセッサと電気的に通信しているメモリと、
前記メモリに記憶された命令と、
を備え、前記命令は、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別し、
ライセンススペクトラムにおいてプライマリコンポーネントキャリア（ＰＣＣ）アップリンクを介してユーザ機器（ＵＥ）から、前記少なくとも１つの送信時間間隔と前記少なくとも１つの他の送信時間間隔とに関連するフィードバック情報を受信するように、前記プロセッサによって実行可能であり、ここにおいて、フィードバック情報を受信するように前記プロセッサによって実行可能な前記命令は、前記アンライセンススペクトラムにおいてダウンリンクのための送信がオフにゲーティングされる前記少なくとも１つの他の送信時間間隔に対して、長期チャネル状態情報（ＣＳＩ）を受信するように前記プロセッサによって実行可能な命令を備える、装置。
【請求項８】
フィードバック情報を受信するように前記プロセッサによって実行可能な前記命令は、ハイブリッド自動再送要求（ＨＡＲＱ）フィードバック情報を受信するように、前記プロセッサによって実行可能な命令をさらに備える、請求項７に記載の装置。
【請求項９】
フィードバック情報を受信するように前記プロセッサによって実行可能な前記命令は、前記アンライセンススペクトラムにおいてダウンリンクのための送信がオンにゲーティングされる前記少なくとも１つの他の送信時間間隔に対して、短期ＣＳＩを受信するように、前記プロセッサによって実行可能な命令をさらに備える、請求項７に記載の装置。
【請求項１０】
ワイヤレス通信装置による通信のための命令を記憶した非一時的コンピュータ可読媒体であって、前記ワイヤレス通信装置に、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別させ、
ライセンススペクトラムにおいてプライマリコンポーネントキャリア（ＰＣＣ）アップリンクを介してユーザ機器（ＵＥ）から、前記少なくとも１つの送信時間間隔と前記少なくとも１つの他の送信時間間隔とに関連するフィードバック情報を受信させるように、プロセッサによって実行可能な命令を備え、ここにおいて、前記ワイヤレス通信装置に、フィードバック情報を受信させるように前記プロセッサによって実行可能な前記命令は、前記ワイヤレス通信装置に、前記アンライセンススペクトラムにおいてダウンリンクのための送信がオフにゲーティングされる前記少なくとも１つの送信時間間隔に対して、長期チャネル状態情報（ＣＳＩ）を受信させるように前記プロセッサによって実行可能な命令を備える、非一時的コンピュータ可読媒体。
【請求項１１】
前記ワイヤレス通信装置にフィードバック情報を受信させるように前記プロセッサによって実行可能な前記命令は、前記ワイヤレス通信装置に、ハイブリッド自動再送要求（ＨＡＲＱ）フィードバック情報を受信させるように、前記プロセッサによって実行可能な命令をさらに備える、請求項１０に記載の非一時的コンピュータ可読媒体。
【請求項１２】
前記ワイヤレス通信装置に、フィードバック情報を受信させるように前記プロセッサによって実行可能な前記命令が、前記ワイヤレス通信装置に、前記アンライセンススペクトラムにおいてダウンリンクのための送信がオンにゲーティングされる前記少なくとも１つの他の送信時間間隔に対して、短期ＣＳＩを受信させるように、前記プロセッサによって実行可能な命令をさらに備える、請求項１０に記載の非一時的コンピュータ可読媒体。
【請求項１３】
ワイヤレス通信のための方法であって、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別することと、
ユーザ機器（ＵＥ）によって、ライセンススペクトラムにおいてプライマリコンポーネントキャリア（ＰＣＣ）アップリンクを介して、前記少なくとも１つの送信時間間隔と前記少なくとも１つの他の送信時間間隔とに関連するフィードバック情報を送信することと、を備え、ここにおいて、フィードバック情報を送信することは、前記アンライセンススペクトラムにおいてダウンリンクのための送信がオフにゲーティングされる前記少なくとも１つの送信時間間隔に対して、長期チャネル状態情報（ＣＳＩ）を送信することを備える、方法。
【請求項１４】
フィードバック情報を送信することは、ハイブリッド自動再送要求（ＨＡＲＱ）フィードバック情報を送信することをさらに備える、請求項１３に記載の方法。
【請求項１５】
フィードバック情報を送信することは、前記アンライセンススペクトラムにおいてダウンリンクのための送信がオンにゲーティングされる前記少なくとも１つの他の送信時間間隔に対して、短期ＣＳＩを送信することをさらに備える、請求項１３に記載の方法。
【請求項１６】
ワイヤレス通信のための装置であって、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別するための手段と、
ユーザ機器（ＵＥ）によって、ライセンススペクトラムにおいてプライマリコンポーネントキャリア（ＰＣＣ）アップリンクを介して、前記少なくとも１つの送信時間間隔と前記少なくとも１つの他の送信時間間隔とに関連するフィードバック情報を送信するための手段と、を備え、ここにおいて、フィードバック情報を送信するための前記手段は、前記アンライセンススペクトラムにおいてダウンリンクのための送信がオフにゲーティングされる前記少なくとも１つの送信時間間隔に対して、長期チャネル状態情報（ＣＳＩ）を送信するための手段を備える、装置。
【請求項１７】
フィードバック情報を送信するための前記手段は、ハイブリッド自動再送要求（ＨＡＲＱ）フィードバック情報を送信するための手段を備える、請求項１６に記載の装置。
【請求項１８】
フィードバック情報を送信するための前記手段は、前記アンライセンススペクトラムにおいてダウンリンクのための送信がオンにゲーティングされる前記少なくとも１つの他の送信時間間隔に対して、短期ＣＳＩを送信するための手段をさらに備える、請求項１６に記載の装置。
【請求項１９】
ワイヤレス通信のための装置であって、
プロセッサと、
前記プロセッサと電気的に通信しているメモリと、
前記メモリに記憶された命令と、
を備え、前記命令は、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別し、
ユーザ機器（ＵＥ）によって、ライセンススペクトラムにおいてプライマリコンポーネントキャリア（ＰＣＣ）アップリンクを介して、前記少なくとも１つの送信時間間隔と前記少なくとも１つの他の送信時間間隔とに関連するフィードバック情報を送信するように、前記プロセッサによって実行可能であり、ここにおいて、フィードバック情報を送信するように前記プロセッサによって実行可能な前記命令は、前記アンライセンススペクトラムにおいてダウンリンクのための送信がオフにゲーティングされる前記少なくとも１つの送信時間間隔に対して、長期チャネル状態情報（ＣＳＩ）を送信するように、前記プロセッサによって実行可能な命令を備える、装置。
【請求項２０】
フィードバック情報を送信するように前記プロセッサによって実行可能な前記命令は、ハイブリッド自動再送要求（ＨＡＲＱ）フィードバック情報を送信するように、前記プロセッサによって実行可能な命令をさらに備える、請求項１９に記載の装置。
【請求項２１】
フィードバック情報を送信するように前記プロセッサによって実行可能な前記命令は、前記アンライセンススペクトラムにおいてダウンリンクのための送信がオンにゲーティングされる前記少なくとも１つの他の送信時間間隔に対して、短期ＣＳＩを送信するように、前記プロセッサによって実行可能な命令をさらに備える、請求項１９に記載の装置。
【請求項２２】
ワイヤレス通信装置による通信のための命令を記憶した非一時的コンピュータ可読媒体であって、ユーザ機器（ＵＥ）に、
アンライセンススペクトラムにおいて送信がオフにゲーティングされる少なくとも１つの送信時間間隔と、前記アンライセンススペクトラムにおいて送信がオンにゲーティングされる少なくとも１つの他の送信時間間隔とを識別させ、
ライセンススペクトラムにおいてプライマリコンポーネントキャリア（ＰＣＣ）アップリンクを介して、前記少なくとも１つの送信時間間隔と前記少なくとも１つの他の送信時間間隔とに関連するフィードバック情報を送信させるように、プロセッサによって実行可能な命令を備え、ここにおいて、前記ＵＥにフィードバック情報を送信させるように前記プロセッサによって実行可能な前記命令は、前記ＵＥに、前記アンライセンススペクトラムにおいてダウンリンクのための送信がオフにゲーティングされる前記少なくとも１つの送信時間間隔に対して、長期チャネル状態情報（ＣＳＩ）を送信させるように前記プロセッサによって実行可能な命令を備える、非一時的コンピュータ可読媒体。
【請求項２３】
前記ＵＥにフィードバック情報を送信させるように前記プロセッサによって実行可能な前記命令は、前記ＵＥに、ハイブリッド自動再送要求（ＨＡＲＱ）フィードバック情報を送信させるように、前記プロセッサによって実行可能な命令をさらに備える、請求項２２に記載の非一時的コンピュータ可読媒体。
【請求項２４】
前記ＵＥにフィードバック情報を送信させるように前記プロセッサによって実行可能な前記命令は、前記ＵＥに、前記アンライセンススペクトラムにおいてダウンリンクのための送信がオンにゲーティングされる前記少なくとも１つの他の送信時間間隔に対して、短期ＣＳＩを送信させるように、前記プロセッサによって実行可能な命令をさらに備える、請求項２２に記載の非一時的コンピュータ可読媒体。